(57)【要約】【課題】組み付け容易で製造コストを増大させずにガタツキの抑制を図ることのできる液晶板保持部材、及び該液晶板保持部材を有する表示装置を提供する。【解決手段】表示装置１０に設けられた液晶板１１の周縁１１ａを液晶板１１ａの前面側から覆うフレーム部１２ａと、フレーム部１２ａから基板１３に向けて延設して基板１３の前面に端縁部１２ｄを当接させる支持脚１２ｂと、端縁部１２ｄから延設する軸片２０と、軸片２０から延びるストッパ片２１と、を有し、ストッパ片２１を基板１３に設けられた貫通孔１３ｂに挿通し、軸片２０を回動中心としてストッパ片２１を基板１３の背面に沿って捻ることにより、ストッパ片２１の係止辺２１ｂが基板１３の背面に係止され脱落が防止される液晶板保持部材１２であって、係止辺２１ｂを、端縁部１２ｄとの間隔が軸片２０に向かうに従って漸減するように傾斜させた。【選択図】  図１
2004271713.tif 000002
【特許請求の範囲】
【請求項１】
表示装置に設けられた液晶板の周縁を該液晶板の前面側から覆うフレーム部と、
前記フレーム部から前記液晶板の背面側に配置された基板に向けて延設して該基板の前面に端縁部を当接させる支持脚と、
前記支持脚の前記端縁部から延設する軸片と、
該軸片から前記基板の背面に沿う方向に延びるストッパ片と、を有し、
前記ストッパ片を前記基板に設けられた貫通孔に挿通し、前記軸片を回動中心として前記ストッパ片を前記基板の背面に沿って捻ることにより、該ストッパ片の係止辺が前記基板の背面に係止され脱落が防止される液晶板保持部材であって、
前記係止辺を、前記支持脚の前記端縁部との間隔が前記軸片に向かうに従って漸減するように傾斜させたことを特徴とする液晶板保持部材。
【請求項２】
請求項１に記載の液晶板保持部材を有することを特徴とする表示装置。
【発明の詳細な説明】
【０００１】
【発明の属する技術分野】
本発明は、液晶板保持部材及び該液晶板保持部材を有する表示装置に関するものであり、特に車両等の振動環境下に配設されるものに好適なものである。
【０００２】
【従来の技術】
液晶板を有する表示装置（メータ）としては、従来より、図８、図９に示したメータ３０のようなものが知られている（例えば、特許文献１参照。）。
【０００３】
このメータ３０は、基板３１と、液晶表示を行う液晶板３２と、この液晶板３２を基板３１に保持して位置決めするための液晶板保持部材３３と、指針（図示せず）を駆動するためのムーブメント３４と、を有している。
【０００４】
液晶板保持部材３３は、弾性脚３５ａ、３５ａ・・を備えた樹脂製ケース３５と、樹脂製ケース３５の前面側（図８中、上側）を覆って外観品質を向上させるための金属カバー３６と、を有しており、金属カバー３６に設けられた窓部３６ａから液晶板３２を前面側に露呈させるようになっている。
【０００５】
そして、メータ３０では、樹脂製ケース３５の基台部３５ｂを基板３１に当接させると共に、基板３１に設けられた係止孔３１ａ、３１ａ・・に弾性脚３５ａ、３５ａ・・を係止させて液晶板保持部材３３の脱落（抜け出し）を防止して、液晶板３２を組み付けるような構造となっている。
【０００６】
また、メータ３０は、液晶板３２の背面側（図８中、下側）に設けられて液晶板３２を照明するバルブ３７と、液晶板３２とバルブ３７の間に介在してバルブ３７からの出射光を拡散する拡散板３８と、液晶板３２と基板３１とを電気的に接続するために基板３１に立設されたターミナルピン３９と、を有している。
【０００７】
このようなメータ１では、通常、金属カバー３６と直接接触することによる液晶板３２の損傷を防止するため、液晶板３２と金属カバー３６との間にゴム等の弾性部材により形成されたパッキンを介在させている。
【０００８】
また、この種の表示装置としては、図１０、図１１に示したようなメータ４０も知られている。
【０００９】
このメータ４０は、液晶表示を行う液晶板４１と、液晶板４１を保持する金属製の液晶板保持部材４２と、バックライト光源としてのＬＥＤ４３ａ、４３ａ・・・が実装された基板４３と、を有している。
【００１０】
液晶板保持部材４２は、パッキン部材４４を介して液晶板４１の周縁４１ａを液晶板４１の前面側から覆うフレーム部４２ａと、フレーム部４２ａから液晶板４１の背面側に配置された基板４３に向けて延設する支持脚４２ｂ、４２ｂ・・・と、支持脚４２ｂ、４２ｂ・・・から延設するＬ字状片４２ｃ、４２ｃ・・・と、を有している。
【００１１】
このＬ字状片４２ｃは、図１１に示したように、支持脚４２ｂの端縁部４２ｄに連設し、基板４３の背面側（図１１中、上側）に向けて延びる軸片４２ｅと、軸片４２ｅから基板４３の背面に沿う方向に延びるストッパ片４２ｆとを有している。
【００１２】
そして、メータ４０において液晶板保持部材４２を組み付ける場合には、基板４３に設けられた貫通孔４３ｂにＬ字状片４２ｃを挿通し、軸片４２ｅを回動中心としてストッパ片４２ｆを捻ることにより、ストッパ片４２ｆの係止辺４２ｇを基板４３の背面に係止させて、液晶板保持部材４２の脱落を防止している。
【００１３】
なお、メータ４０は、基板４３と液晶板４１との間に介在してＬＥＤ４３ａが出射した出射光を拡散するための拡散板４５、４６と、基板４３の前面に設けられたライトガイド部材４７と、液晶板４１を前面側に露呈させる窓部４８ａを有すると共にアナログ表示が可能な文字盤４８と、ハウジング部材４９ａ、４９ｂと、を有している。
【００１４】
【特許文献１】
特開平６−０３４９８８号公報（第２−３頁、図１、図２）
【００１５】
【発明が解決しようとする課題】
しかしながら、液晶板保持部材３３を有するメータ３０を例えば車両に搭載する場合には、車両走行時の振動に対して液晶板３２の保持性を向上させる必要があり、ゴム等のパッキン（弾性部材）を液晶板３２と金属カバー３６との間に介在させる必要があるため、メータ３０では、樹脂製ケース３５と、金属カバー３６と、パッキンと、を備える必要があり、部品点数及び組み付け工数の増加を招いている、という問題があった。
【００１６】
一方、メータ４０では、液晶板保持部材４２及びパッキン４４で液晶板４１を前面側から保持することができるが、係止辺４２ｇと端縁部４２ｄとで基板４３を挟持しているものではなく、液晶板保持部材４２には基板４３の前背面方向へのガタツキが生じてしまう、という問題があった。
【００１７】
すなわち、平行に形成された係止辺４２ｇと端縁部４２ｄとの間隔を基板３３の厚さ以下に定めると、ストッパ片４２ｆを捻ることが困難になる。
【００１８】
このため、液晶板保持部材４２では、係止辺４２ｇと端縁部４２ｄとの間隔は、基板３３の厚さよりも大きくなっており、係止辺４２ｇが基板３３の背面に係止されて液晶板保持部材４２の脱落は防止されるものの、基板３３と、端縁部４２ｄ又は係止辺４２ｇと、の間に隙間Ｗが生じてしまう。
【００１９】
このような隙間Ｗが生じる場合であっても、液晶板４１の周縁４１ａの対向する二辺にラバーコネクタが接続され、液晶板４１がフレーム部４２ａ方向に付勢されていればガタツキは生じないが、例えば周縁４１ａの一辺のみにラバーコネクタを接続した場合やラバーコネクタを用いずにリードコネクタ接続とした場合には、液晶板保持部材４２にガタツキが生じてしまう、という問題があった。
【００２０】
特に、振動の大きな車両、建設機器等にメータ４０を取り付ける場合には、振動によるガタツキが顕著になる、という問題があった。
【００２１】
本発明はこのような課題を解決するためになされたものであり、組み付け容易で製造コストを増大させずにガタツキの抑制を図ることのできる液晶板保持部材、及び該液晶板保持部材を有する表示装置の提供を目的とする。
【００２２】
【課題を解決するための手段】
前記課題を解決するため、請求項１に係る発明は、表示装置に設けられた液晶板の周縁を該液晶板の前面側から覆うフレーム部と、前記フレーム部から前記液晶板の背面側に配置された基板に向けて延設して該基板の前面に端縁部を当接させる支持脚と、前記支持脚の前記端縁部から延設する軸片と、該軸片から前記基板の背面に沿う方向に延びるストッパ片と、を有し、前記ストッパ片を前記基板に設けられた貫通孔に挿通し、前記軸片を回動中心として前記ストッパ片を前記基板の背面に沿って捻ることにより、該ストッパ片の係止辺が前記基板の背面に係止され脱落が防止される液晶板保持部材であって、前記係止辺を、前記支持脚の前記端縁部との間隔が前記軸片に向かうに従って漸減するように傾斜させたことを特徴とする液晶板保持部材である。
【００２３】
このように構成された請求項１記載のものでは、背面に沿って捻られる前記ストッパ片の前記係止辺を、前記支持脚の前記端縁部との間隔が前記軸片に向かうに従って漸減するように傾斜させたため、前記係止辺の前記軸片側を前記貫通孔内に位置させれば、前記ストッパ片を捻る際、前記係止辺を前記貫通孔の周縁に摺動させつつ、前記基板を該係止辺と前記端縁部との間に挟持することができる。
【００２４】
従って、請求項１記載の液晶板保持部材であれば、前記ストッパ片を捻るだけで容易に前記基板に組み付けることができると共に、該液晶板保持部材のガタツキを抑制することができる。
【００２５】
また、請求項２に係る発明は、請求項１に記載の液晶板保持部材を有することを特徴とする表示装置である。
【００２６】
このように構成された請求項２記載のものは、請求項１に記載の液晶板保持部材を有し、該液晶板保持部材の前記係止辺と前記端縁部との間に表示装置の基板が挟持されるため、振動の大きな環境に設置しても該液晶板保持部材のガタツキが微少に抑えられる表示装置である。
【００２７】
【発明の実施の形態】
本発明の実施の形態を、図を参照して説明する。
【００２８】
図２に示すように、車両等に配設される本実施形態のメータ（表示装置）１０は、液晶表示を行う液晶板１１と、液晶板１１を保持する金属製の液晶板保持部材１２と、液晶板保持部材１２の背面側に設けられた基板１３と、を有している。
【００２９】
基板１３には、バックライト光源としてのＬＥＤ１３ａ、１３ａ・・・が実装されており、このＬＥＤ１３ａの出射光が液晶板１１を照明するようになっている。
【００３０】
更に、メータ１０は、基板１３と液晶板１１との間に介在してＬＥＤ１３ａが出射した出射光を拡散するための拡散板１４ａ、１４ｂと、基板１３の前面に設けられたライトガイド部材１５と、を有している。
【００３１】
また、メータ１０は、窓部１６ａが設けられた文字盤１６と、ハウジング部材としての前ハウジング１７ａ及び後ハウジング１７ｂと、を有している。
【００３２】
文字盤１６は、目盛り部１６ｂを有し、この目盛り部１６ｂをポインタ１６ｂが指し示すことにより、アナログ表示が可能になっている。
【００３３】
更に、文字盤１６は、窓部１６ａから液晶板１１を前面側に露呈させて、液晶表示が可能になっている。
【００３４】
また、ライトガイド部材１５は、液晶板１１を配置するための液晶支持部１５ａ、１５ａと、ＬＥＤ１３ａを囲うように設けられたＬＥＤ用開口１５ｂと、を有している。
【００３５】
液晶支持部１５ａ、１５ａは、先端部１５ｃ、１５ｃに向けて前面側に突設し、拡散板１４ａを介して液晶板１１を配設することができるようになっている。
【００３６】
更に、メータ１０には、液晶板１１と基板１３とを電気的に導通するためのラバーコネクタ１８が設けられている。
【００３７】
このラバーコネクタ１８は、液晶板１１の周縁１１ａのうち、下側の周縁下部１１ｂに接続されるようになっている。
【００３８】
また、液晶板保持部材１２は、前面視で液晶板１１の周縁１１ａを覆い隠す長方形枠状のフレーム部１２ａと、フレーム部１２ａから基板１３に向けて延設する支持脚１２ｂ、１２ｂ・・・と、支持脚１２ｂ、１２ｂ・・・から延設する脱落防止片１２ｃ、１２ｃ・・・と、を有している。
【００３９】
そして、基板１３には、この支持脚１２ｂ、１２ｂ・・・から延設する脱落防止片１２ｃ、１２ｃ・・・の対応する位置に、脱落防止片１２ｃ、１２ｃ・・・を挿通可能な貫通孔１３ｂ、１３ｂ・・・が設けられている。
【００４０】
この貫通孔１３ｂは、図３に示すように、脱落防止片１２ｃを基板１３の前面側から挿通できる範囲で、微小に形成されている。
【００４１】
また、フレーム部１２ａは、弾性素材から形成されたパッキン部材１９を介して、液晶板１１の周縁１１ａを液晶板１１の前面側から覆うようになっている。
【００４２】
そして、脱落防止片１２ｃは、図１に示すように、支持脚１２ｂの端縁部１２ｄと連なり該端縁部１２ｄから基板１３の背面側（図１中、上側）に向けて延設する軸片２０と、軸片２０から先端部２１ａに向けて基板１３の背面に沿う方向に延びるストッパ片２１とを有して略Ｌ字状を呈しており、脱落防止片１２ｃと支持脚１２ｂとの間に略コ字状の切欠Ｃが形成されている。
【００４３】
また、ストッパ片２１は、略コ字状の切欠Ｃの一辺を形成する端縁部１２ｄと対向する位置に、切欠Ｃの他辺を形成する係止辺２１ｂを有している。
【００４４】
そして、係止辺２１ｂは、先端部２１ａ側の係止辺先端部２１ｃと、軸片２０側の係止辺軸片近傍部２１ｄと、の間に直線状に形成されている。
【００４５】
更に、係止辺２１ｂは、脱落防止片１２ｃを貫通孔１３ｂに挿通して端縁部１２ｄを基板１３の前面に当接させたときに、係止辺先端部２１ｃが貫通孔１３ｂの外側に、係止辺軸片近傍部２１ｄが貫通孔１３ｂ内に、それぞれ位置するように形成されている。
【００４６】
すなわち、係止辺２１ｂは、係止辺２１ｂと端縁部１２ｄとの間隔が、軸片２０に向かうに従って漸減するように、基板１３の背面に対して傾斜している。
【００４７】
なお、本実施形態の液晶板保持部材１２では、図３に示すように、係止辺２１ｂのうち、ラバーコネクタ１８と接続される周縁下部１１ｂ側に対応するストッパ片２１’の係止辺２１ｂ’は、図１１に示した係止辺４２ｇと同様に、端縁部１２ｄとの間隔が一定となるように基板１３の背面と平行に形成されている。
【００４８】
次に、このような構成を備えた液晶板保持部材１２を有するメータ１０の作用を、液晶板保持部材１２の組み付け方法に沿って説明する。
【００４９】
まず、フレーム部１２ａで、パッキン部材１９を介して、液晶板１１の周縁１１ａを液晶板１１の前面側から覆い、フレーム部１２ａに設けられた図示しない係止凸部で液晶板１１を保持する。
【００５０】
そして、拡散板１４ａ、１４ｂ、ラバーコネクタ１８、ライトガイド部材１５を所定の位置に配置した後、図３、図４に示すように、脱落防止片１２ｃ、１２ｃ・・・を貫通孔１３ｂ、１３ｂ・・・に挿入し、ストッパ片２１、２１・・・を貫通孔１３ｂ、１３ｂ・・・に挿通する。
【００５１】
このとき、液晶板１１は、拡散板１４ａを介して液晶支持部１５ａの先端部１５ｃに配設される。
【００５２】
更に、このストッパ片２１を、図５（ａ）に示すように、軸片２０を回動中心として基板１３の背面に沿って捻る。
【００５３】
このようにストッパ片２１を捻ると、図５（ｂ）のように、係止辺２１ｂと端縁部１２ｄとの間に基板１３が挟持される。
【００５４】
すなわち、係止辺２１ｂが、端縁部１２ｄとの間隔が軸片２０に向かうに従って漸減するように傾斜しており、係止辺軸片近傍部２１ｄが貫通孔１３ｂ内に位置しているため、ストッパ片２１を捻ることにより、係止辺２１ｂを貫通孔１３ｂの周縁に摺動させつつ端縁部１２ｄと基板１３の背面を当接させ、係止辺２１ｂと端縁部１２ｄとの間に基板１３を徐々に挟持させていくことができる。
【００５５】
そして、ストッパ片２１に捻る力を更に作用させると、貫通孔１３ｂの周縁に係止した係止辺２１ｂの係止辺接触部２１ｅを回動中心としてストッパ片２１が屈曲し、図６に示したように、基板１３の背面に係止辺２１ｂを更に確実に係止させることができる。
【００５６】
このように係止辺２１ｂと端縁部１２ｄとの間に基板１３を挟持させれば、係止辺２１ｂを基板１３の背面に係止して脱落が防止できるだけでなく、液晶板保持部材１２のガタツキを抑制することができる。
【００５７】
しかも、この液晶板保持部材１２を用いれば、貫通孔１３ｂに挿通されたストッパ片２１を基板１３の背面に沿って捻るだけで、ネジ等を用いずにガタツキを抑制することができる。
【００５８】
また、ストッパ片２１を捻ることにより係止辺２１ｂと端縁部１２ｄとの間に基板１３を挟持させると、フレーム部１２ａを基板１３側に接近させることができる。
【００５９】
このため、液晶支持部１５ａを所定の長さに設定しておくことにより、ストッパ片２１を捻ってフレーム部１２ａを基板１３側に接近させ、フレーム部１２ａと先端部１５ｃ、１５ｃとの間に液晶板１１を挟持することができ、液晶板１１のガタツキを抑制することができる。
【００６０】
従って、液晶板保持部材１２は組み付け容易であり、ガタツキ防止のための別部材も不要であるため、組み付け工数、部品点数を増大させずメータ１０の製造コストの増大を抑制することができる。
【００６１】
また、本実施形態では、係止辺２１ｂのうち、ラバーコネクタ１８と接続される周縁下部１１ｂ側に対応するストッパ片２１’の係止辺２１ｂ’は、端縁部１２ｄとの間隔が一定となるように基板１３の背面と平行に形成されているが、液晶板１１の周縁下部１１ｂにはラバーコネクタ１８の弾性に基づく付勢力が作用するため、液晶板保持部材１２のガタツキは抑制される。
【００６２】
（変形例）
図７は本発明のこの発明の実施の形態１の変形例を示すものである。
【００６３】
なお、前記実施の形態１と同一ないし均等な部分については、同一符号を付して説明する。
【００６４】
本変形例の脱落防止片１１２ｃは、支持脚１２ｂの端縁部１２ｄと連なり該端縁部１２ｄから基板１３の背面側（図７中、上側）に向けて延設する軸片２０と、軸片２０から先端部２１ａに向けて基板１３の背面に沿う方向に延びるストッパ片２１と、軸片２０を挟んでストッパ片２１の反対側に形成された第二ストッパ片１２１と、を有し、略Ｔ字状を呈している。
【００６５】
第二ストッパ片１２１は、ストッパ片２１と同様の形状を有しており、軸片２０から第二先端部１２１ａに向けて基板１３の背面に沿う方向に延設する構成となっている。
【００６６】
そして、脱落防止片１２ｃと支持脚１２ｂとの間に、略コ字状の切欠Ｃと第二切欠Ｃ１とが形成されている。
【００６７】
また、第二ストッパ片１２１は、略コ字状の切欠Ｃ１の一辺を形成する端縁部１２ｄと対向する位置に、切欠Ｃ１の他辺を形成する第二係止辺１２１ｂを有している。
【００６８】
この第二係止辺１２１ｂは、第二先端部１２１ａ側の第二係止辺先端部１２１ｃと、軸片２０側の第二係止辺軸片近傍部１２１ｄと、の間に直線状に形成されている。
【００６９】
更に、第二係止辺１２１ｂは、脱落防止片１１２ｃを貫通孔１３ｂに挿通して端縁部１２ｄを基板１３の前面に当接させたときに、第二係止辺先端部１２１ｃが貫通孔１３ｂの外側に、第二係止辺軸片近傍部１２１ｄが貫通孔１３ｂ内に、それぞれ位置するように形成されている。
【００７０】
すなわち、第二係止辺１２１ｂは、第二係止辺１２１ｂと端縁部１２ｄとの間隔が、軸片２０に向かうに従って漸減するように、基板１３の背面に対して傾斜する構成となっている。
【００７１】
このような脱落防止片１１２ｃを有する液晶板保持部材１２であれば、ストッパ片２１及び第二ストッパ片１２１を基板１３の背面に沿って捻ることにより、係止辺２１ｂ及び第二係止辺１２１ｂを貫通孔１３ｂの周縁に摺動させつつ端縁部１２ｄと基板１３の背面を当接させ、係止辺２１ｂ及び第二係止辺１２１ｂと端縁部１２ｄとの間に基板１３を徐々に挟持させていくことができる。
【００７２】
このため、本変形例の液晶板保持部材１２では、二つの辺、すなわち係止辺２１ｂ及び第二係止辺１２１ｂと、端縁部１２ｄとの間に基板１３を挟み込むため、基板１３をより強固に挟持することができ、更に、ガタツキを抑制することができる。
【００７３】
従って、本変形例の液晶板保持部材１２を有するメータ１０は、より強い振動環境下に配設される場合に好適である。
【００７４】
他の構成、および作用効果については、前記実施の形態と同一ないし均等であるので説明を省略する。
【００７５】
以上、本発明の実施の形態を、図を参照して説明してきたが、具体的な構成はこの実施形態に限らず、この発明の要旨を逸脱しない範囲の設計の変更があってもこの発明に含まれる。
【００７６】
例えば、本実施の形態では、係止辺２１ｂのうち、ラバーコネクタ１８と接続される周縁下部１１ｂ側に対応する係止辺２１ｂ’は、端縁部１２ｄとの間隔が一定となるように基板１３の背面と平行に形成されているが、必ずしもこのように構成しなくても良い。
【００７７】
すなわち、ラバーコネクタの接続の有無に関わらず、端縁部との間隔が軸片に向かうに従って漸減するように傾斜する係止辺２１ｂを、所望のストッパ片に設けることができる。
【００７８】
このようにすれば、ラバーコネクタの接続の有無に関わらず液晶板保持部材のガタツキを抑制することができる。
【００７９】
また、本実施形態においては、係止辺２１ｂは直線状に形成されているが、端縁部との間隔が軸片に向かうに従って漸減するように傾斜するものであれば直線状に限定されない。
【００８０】
例えば、前記係止辺は曲線状にしても良いし、或いは、階段状、ノコギリ状に形成しても良い。
【００８１】
このようにしても、前記軸片を回動中心として前記ストッパ片を前記基板の背面に沿って捻れば、前記係止辺を前記貫通孔の周縁に摺動させつつ、前記基板を該係止辺と前記端縁部との間に挟持することができ、前記液晶板保持部材のガタツキを抑制することができる。
【００８２】
【発明の効果】
以上説明したように、請求項１記載の液晶板保持部材では、前記基板の背面に沿って捻られる前記ストッパ片の前記係止辺を、前記支持脚の前記端縁部との間隔が前記軸片に向かうに従って漸減するように傾斜させたため、前記係止辺の前記軸片側を前記貫通孔内に位置させれば、前記ストッパ片を捻る際、前記係止辺を前記貫通孔の周縁に摺動させつつ、前記基板を該係止辺と前記端縁部との間に挟持することができる。
【００８３】
従って、請求項１記載の液晶板保持部材であれば、前記ストッパ片を捻るだけで容易に前記基板に組み付けることができると共に、該液晶板保持部材のガタツキを抑制することができる。
【００８４】
また、請求項２に係る発明は、請求項１に記載の液晶板保持部材を有することを特徴とする表示装置である。
【００８５】
このように構成された請求項２記載のものは、請求項１に記載の液晶板保持部材を有し、該液晶板保持部材の前記係止辺と前記端縁部との間に表示装置の基板が挟持されるため、振動の大きな環境に設置しても該液晶板保持部材のガタツキが微少に抑えられる表示装置である。
【図面の簡単な説明】
【図１】本発明の実施形態に係る液晶板保持部材の脱落防止片を基板の貫通孔に挿通した際の断面図である。
【図２】本発明の実施形態に係る液晶板保持部材を有する表示装置の分解斜視図である。
【図３】本発明の実施形態に係る液晶板保持部材の脱落防止片を基板の貫通孔に挿通した際の背面側斜視図である。
【図４】本発明の実施形態に係る液晶板保持部材を有する表示装置の部分断面図である。
【図５】本発明の実施形態に係る液晶板保持部材のストッパ片を、軸片を回動中心として基板の背面に沿って捻った際の動作を示した模式図であり、（ａ）は捻る前の状態を、（ｂ）は捻った後の状態を示している。
【図６】本発明の実施形態に係る液晶板保持部材の脱落防止片を基板の貫通孔に挿通し捻った後の状態を示した背面側斜視図である。
【図７】本発明の実施形態の変形例に係る液晶板保持部材の脱落防止片を基板の貫通孔に挿通した際の断面図である。
【図８】従来の表示装置の断面図である。
【図９】従来の表示装置の分解斜視図である。
【図１０】従来の他の表示装置の分解斜視図である。
【図１１】従来の他の表示装置の部分断面図である。
【符号の説明】
１０  メータ（表示装置）
１１  液晶板
１１ａ  周縁
１２  液晶板保持部材
１２ａ  フレーム部
１２ｂ  支持脚
１２ｄ  端縁部
２０  軸片
２１  ストッパ片
２１ｂ  係止辺
１３  基板
１３ｂ  貫通孔
【図１】
2004271713.tif 000003
【図２】
2004271713.tif 000004
【図３】
2004271713.tif 000005
【図４】
2004271713.tif 000006
【図５】
2004271713.tif 000007
【図６】
2004271713.tif 000008
【図７】
2004271713.tif 000009
【図８】
2004271713.tif 000010
【図９】
2004271713.tif 000011
【図１０】
2004271713.tif 000012
【図１１】
2004271713.tif 000013